(57)【特許請求の範囲】
【請求項１】
デッキを構成するデッキ材を固定下地に着脱可能に固定するデッキ材固定構造であって、
前記デッキ材の裏面に設けられ、前記固定下地に係合する係合部材と、
前記係合部材が前記固定下地に係合する係合位置となったときに前記係合部材と前記固定下地との間に上方側または下方側から差し込まれて前記係合部材の係合位置から非係合位置へ向けた移動を阻止する移動阻止部を備えた固定具と、を有し、
前記固定下地が、底部と、該底部の両側縁に連なる一対の側部と、一対の前記側部の上端からそれぞれ内側に向けて延出する一対の折返し部と、を備えた断面略Ｃ字のレール形状に形成され、
前記係合部材が、前記デッキ材の裏面に固定される固定部と、前記デッキ材の裏面に該裏面に対して間隔を空け且つ平行に配置される板状の爪部と、前記固定部と前記爪部とを連ねる連結部と、を備え、前記爪部が一対の前記折返し部の間から前記固定下地の内部に挿入されて一方の前記折返し部にスライド式に係合することにより係合位置となり、
前記固定具が、凸型の前記移動阻止部と前記底部に垂直な方向に貫通するねじ孔とを備えて固定下地の内部に回り止めされた状態で配置される固定片と、前記ねじ孔に螺合する棒状ねじ部材とを有し、
前記棒状ねじ部材の回転によって前記固定片が前記底部から離れる方向に移動して前記移動阻止部が前記爪部の後端に係合することにより、前記係合部材の係合位置から非係合位置へ向けた移動が阻止されることを特徴とするデッキ材固定構造。
【請求項２】
前記固定片が、隣り合う前記デッキ材の間に挟持される回り止め部をさらに備えることを特徴とする請求項１に記載のデッキ材固定構造。
【請求項３】
デッキを構成するデッキ材を固定下地に着脱可能に固定するデッキ材固定構造であって、
前記デッキ材の裏面に設けられ、前記固定下地に係合する係合部材と、
前記係合部材が前記固定下地に係合する係合位置となったときに前記係合部材と前記固定下地との間に上方側または下方側から差し込まれて前記係合部材の係合位置から非係合位置へ向けた移動を阻止する移動阻止部を備えた固定具と、を有し、
前記固定下地が、底部と、該底部の両側縁に連なる一対の側部と、一対の前記側部の上端からそれぞれ内側に向けて延出する一対の折返し部と、を備えた断面略Ｃ字のレール形状に形成され、
前記係合部材が、前記デッキ材の裏面に固定される固定部と、前記デッキ材の裏面に該裏面に対して間隔を空け且つ平行に配置される板状の爪部と、前記固定部と前記爪部とを連ねる連結部と、を備え、前記爪部が一対の前記折返し部の間から前記固定下地の内部に挿入されて一方の前記折返し部にスライド式に係合することにより係合位置となり、
前記固定具が、前記デッキ材の側面に該側面に垂直な支軸によって回動自在に支持された板状部と、該板状部と一体に設けられた爪状の前記移動阻止部とを有し、
前記板状部を回動させて前記移動阻止部を前記係合部材と一方の前記折返し部との間に上方側から差し込むことにより、前記係合部材の係合位置から非係合位置へ向けた移動が阻止されることを特徴とするデッキ材固定構造。
【請求項４】
前記板状部に、該板状部に対して直角に曲がる摘み部を設けたことを特徴とする請求項３に記載のデッキ材固定構造。
【請求項５】
前記板状部に、取っ手用孔を設けたことを特徴とする請求項３または４に記載のデッキ材固定構造。
【発明の詳細な説明】
【技術分野】
【０００１】
本発明は、デッキを構成するデッキ材を固定下地に固定するデッキ材固定構造に関する。
【背景技術】
【０００２】
従来から、住宅等の建物の屋外やベランダ等にデッキを設置することが行われている。このようなデッキは、根太等の固定下地の上に複数枚のデッキ材を並べて固定することにより構成されるのが一般的である。
【０００３】
固定下地に対するデッキ材の固定構造としては、例えばボルト等の固定具を用いる構造が一般的であるが、デッキをベランダに設置した場合等においては、デッキの下に設けられるドレインの点検やメンテナンス等を行う必要があるため、デッキ材の一部を固定下地に対して着脱可能に固定する構造が採用されている。
【０００４】
例えば特許文献１には、デッキ材（床板ユニット）に設けた台部材にロックバーをスライド自在に設け、このロックバーを固定下地（根太枠）の内側面に設けたロック孔に差し込むことにより、デッキ材を固定下地に対して着脱可能に固定するようにしたデッキ材固定構造が記載されている。
【先行技術文献】
【特許文献】
【０００５】
【特許文献１】特開２００４−８４２２５号公報
【発明の概要】
【発明が解決しようとする課題】
【０００６】
しかしながら、上記従来のデッキでは、デッキ材に設けたロックバーを固定下地に設けたロック孔に差し込むことによりデッキ材を固定下地に対して着脱可能に固定するようにしているので、デッキ材を固定下地に固定する際に、ロックバーをロック孔に対して位置合わせする必要があるなど、その固定作業が煩雑であるという問題点があった。
【０００７】
本発明は、このような点を解決することを課題とするものであり、その目的は、固定下地に対してデッキ材を容易に着脱可能に固定することができるデッキ材固定構造を提供することにある。
【課題を解決するための手段】
【０００８】
本発明のデッキ材固定構造は、デッキを構成するデッキ材を固定下地に着脱可能に固定するデッキ材固定構造であって、前記デッキ材の裏面に設けられ、前記固定下地に係合する係合部材と、前記係合部材が前記固定下地に係合する係合位置となったときに前記係合部材と前記固定下地との間に上方側または下方側から差し込まれて前記係合部材の係合位置から非係合位置へ向けた移動を阻止する移動阻止部を備えた固定具と、を有することを特徴とする。
【０００９】
本発明のデッキ材固定構造は、上記構成において、前記固定下地が、底部と、該底部の両側縁に連なる一対の側部と、一対の前記側部の上端からそれぞれ内側に向けて延出する一対の折返し部と、を備えた断面略Ｃ字のレール形状に形成され、前記係合部材が、前記デッキ材の裏面に固定される固定部と、前記デッキ材の裏面に該裏面に対して間隔を空け且つ平行に配置される板状の爪部と、前記固定部と前記爪部とを連ねる連結部と、を備え、前記爪部が一対の前記折返し部の間から前記固定下地の内部に挿入されて一方の前記折返し部にスライド式に係合することにより係合位置となることを特徴とする。
【００１０】
本発明のデッキ材固定構造は、上記構成において、前記固定具が、凸型の前記移動阻止部と前記底部に垂直な方向に貫通するねじ孔とを備えて固定下地の内部に回り止めされた状態で配置される固定片と、前記ねじ孔に螺合する棒状ねじ部材とを有し、前記棒状ねじ部材の回転によって前記固定片が前記底部から離れる方向に移動して前記移動阻止部が前記爪部の後端に係合することにより、前記係合部材の係合位置から非係合位置へ向けた移動が阻止されることを特徴とする。
【００１１】
本発明のデッキ材固定構造は、上記構成において、前記固定片が、隣り合う前記デッキ材の間に挟持される回り止め部をさらに備えることを特徴とする。
【００１２】
本発明のデッキ材固定構造は、上記構成において、前記固定具が、前記デッキ材の側面に該側面に垂直な支軸によって回動自在に支持された板状部と、該板状部と一体に設けられた爪状の前記移動阻止部とを有し、前記板状部を回動させて前記移動阻止部を前記係合部材と一方の前記折返し部との間に上方側から差し込むことにより、前記係合部材の係合位置から非係合位置へ向けた移動が阻止されることを特徴とする。
【００１３】
本発明のデッキ材固定構造は、上記構成において、前記板状部に、該板状部に対して直角に曲がる摘み部を設けたことを特徴とする。
【００１４】
本発明のデッキ材固定構造は、上記構成において、前記板状部に、取っ手用孔を設けたことを特徴とする。
【発明の効果】
【００１５】
本発明によれば、固定下地に対してデッキ材を容易に着脱可能に固定することができるデッキ材固定構造を提供することができる。
【図面の簡単な説明】
【００１６】
【図１】本発明に係るデッキ材固定構造を適用したデッキの平面図である。
【図２】図１におけるＡ−Ａ線に沿う断面図である。
【図３】図１に示す標準パネルユニットの平面図である。
【図４】図１におけるＢ−Ｂ線に沿う断面図である。
【図５】（ａ）、（ｂ）は、それぞれデッキ材に設けた係合部材を固定下地に係合させる手順を示す説明図である。
【図６】図４に示す固定具の斜視図である。
【図７】（ａ）〜（ｄ）は、それぞれ図５に示す固定具を固定下地の所定位置に配置する手順を示す説明図である。
【図８】（ａ）、（ｂ）は、それぞれ固定具に設けられた移動阻止部を係合部材と固定下地との間に差し込む手順を示す説明図である。
【図９】図１に示す着脱パネルユニットの平面図である。
【図１０】図９に示す固定具の詳細を示す説明図である。
【図１１】図９におけるＣ−Ｃ線に沿う断面図である。
【図１２】（ａ）、（ｂ）は、それぞれ固定具に設けられた移動阻止部を係合部材と固定下地との間に差し込む手順を示す説明図である。
【図１３】図１０に示す固定具の変形例を示す説明図である。
【図１４】図６に示す固定具の変形例を示す説明図である。
【図１５】（ａ）、（ｂ）は、それぞれ図６に示す固定具の作用を説明する説明図である。
【図１６】端部固定具の斜視図である。
【図１７】端部固定具の装着状態を示す断面図である。
【図１８】図６に示す固定具の変形例であって、（ａ）はその断面図であり、（ｂ）はその平面図である。
【発明を実施するための形態】
【００１７】
以下、本発明に係るデッキ材固定構造の実施形態について、図面を参照しながら詳細に例示説明する。なお、本明細書においては、「上方」とはデッキ材の裏面から表面に向けた方向を意味し、「下方」とはデッキ材の表面から裏面に向けた方向を意味するものとする。
【００１８】
図１に示すデッキ１は、例えば鉄骨造の工業化住宅などの住宅等の建物に設けられたベランダに設置される。このデッキ１は、デッキ１を設置するベランダの大きさ（面積）に応じた複数枚のデッキ材２を、本発明に係るデッキ材固定構造によって根太等の固定下地３に着脱可能に固定することで構成されている。
【００１９】
デッキ材２は長尺の板材である。デッキ材２としては、例えば、天然の木材や人工の木材を用いることができる。図２から解るように、本実施の形態では、デッキ材２として、並列配置されたアルミ合金製の矩形筒状の一対の芯材２ａの周囲をウレタン等の樹脂材２ｂで被覆した構成のものを用いている。
【００２０】
図１に示すように、デッキ材２は、例えば２枚一組とした標準パネルユニットＰＵ１に構成することができる。また、一部のデッキ材２は、２枚一組とした着脱パネルユニットＰＵ２に構成することができる。標準パネルユニットＰＵ１及び着脱パネルユニットＰＵ２は、何れも、固定下地３に対して着脱可能に固定されるが、着脱パネルユニットＰＵ２は標準パネルユニットＰＵ１に比べて固定下地３からの着脱がさらに容易な構成とされている。着脱パネルユニットＰＵ２は、例えばデッキ１の下にドレインが設けられている部位など、点検やメンテナンス等を行うためにデッキ材２の一部を取り外す必要がある部位に設けられる。
【００２１】
図３に示すように、標準パネルユニットＰＵ１を構成する２枚のデッキ材２は、所定の間隔を空けて並べて配置され、その裏面に２枚のデッキ材２に掛け渡して固定された一対の係合部材１０によって互いに連結されている。係合部材１０は、それぞれデッキ材２の長手方向の一方側と他方側とに、その長手方向端部から所定の間隔を空けて配置され、例えばビス等の締結部材１１を用いてそれぞれのデッキ材２に固定されている。
【００２２】
なお、本実施の形態においては、係合部材１０を用いて２枚のデッキ材２を連結して標準パネルユニットＰＵ１に構成するようにしているが、係合部材１０とは別の他の連結部材等を用いて２枚のデッキ材２を連結して標準パネルユニットＰＵ１を構成するようにしてもよい。この場合、標準パネルユニットＰＵ１の裏面には連結部材とは別に係合部材１０が固定されることになる。
【００２３】
なお、標準パネルユニットＰＵ１を構成するデッキ材２の枚数及び係合部材１０の本数等は、上記に限らず、デッキ１の面積やデッキ材２の長さ等に応じて任意に設定することができる。
【００２４】
標準パネルユニットＰＵ１は、例えば工場等で予め組み立てられたものとしてもよい。この場合、デッキ１の施工現場においては、標準パネルユニットＰＵ１を固定下地３に固定するだけの簡単な作業でデッキ１を容易に構築することができる。
【００２５】
係合部材１０は、固定下地３に係合してデッキ材２つまり標準パネルユニットＰＵ１を固定下地３に固定するものである。図４に示すように、本実施の形態においては、係合部材１０は、長尺の鋼板等の薄板材を折り曲げることにより、平板状の固定部１０ａと、当該固定部１０ａに平行に段差状にずれた平板状の爪部１０ｂと、固定部１０ａと爪部１０ｂとを連ねる連結部１０ｃとを備えた横断面略Ｚ形となる長尺板状に形成されている。一対の係合部材１０は、それぞれ爪部１０ｂを長手方向の一方側に向けた姿勢で固定部１０ａにおいてデッキ材２の裏面に上記した締結部材１１（図２、図３参照）を用いて固定されている。爪部１０ｂはデッキ材２の裏面に対して所定の間隔を空けるとともに当該裏面に平行に配置されている。
【００２６】
ベランダ等のデッキ１の設置場所には、図１に示すように、２本の固定下地３が間隔を空けて互いに平行に配置される。標準パネルユニットＰＵ１は、これらの固定下地３の上に配置され、係合部材１０が固定下地３に係合することによって固定下地３に着脱可能に固定され、当該固定下地３によって支持される。図２から解るように、固定下地３は、例えば鋼製等の束１２によってベランダの床面に支持される構成とすることができる。
【００２７】
固定下地３は、それぞれ断面略Ｃ字の長尺のレール形状に形成されている。より具体的には、図４に示すように、固定下地３は、長尺の鋼板を略Ｃ字形状に折り曲げることにより、底部３ａ、底部３ａの両側縁に連なる一対の側部３ｂ、及び一対の側部３ｂの上端からそれぞれ内側に向けて延出する一対の折返し部３ｃによって構成されている。固定下地３は、一対の折返し部３ｃが上方を向くように設置されている。一対の折返し部３ｃの間に形成される隙間Ｓは固定下地３の長手方向に沿って延びており、その幅寸法は、係合部材１０の固定部１０ａの側の一端から爪部１０ｂの側の他端までの幅寸法よりも広くなっている。また、一対の折返し部３ｃは、その厚みが係合部材１０の爪部１０ｂとデッキ材２の裏面との間隔よりも僅かに薄くなっているとともに、側部３ｂからの延出長さが爪部１０ｂの固定部１０ａからの突出長さよりも広くなっている。
【００２８】
標準パネルユニットＰＵ１は、それぞれの係合部材１０の爪部１０ｂを固定下地３の一方の折返し部３ｃにスライド式に係合させることにより固定下地３に固定される。
【００２９】
より具体的には、標準パネルユニットＰＵ１を固定下地３の一対の折返し部３ｃの上面に配置する際に、図５（ａ）に示すように、係合部材１０の爪部１０ｂを固定下地３の一対の折返し部３ｃの間の隙間Ｓから固定下地３の内部に挿入する。このとき、一対の係合部材１０の間隔は一対の固定下地３の間隔と一致しているので、一対の係合部材１０は、それぞれ対応する固定下地３の内部に挿入される。
【００３０】
次に、この状態から標準パネルユニットＰＵ１を長手方向に向けて押し、図５（ｂ）に示すように、係合部材１０の爪部１０ｂを固定下地３の一方の折返し部３ｃにスライド式に係合させる。連結部１０ｃが折返し部３ｃの端部に当接するまで爪部１０ｂを折返し部３ｃに係合させると係合部材１０は係合位置となる。このように、爪部１０ｂを折返し部３ｃにスライド式に係合させて係合部材１０を係合位置とすることにより、爪部１０ｂと標準パネルユニットＰＵ１の裏面との間に折返し部３ｃを挟持して、係合部材１０つまり標準パネルユニットＰＵ１を固定下地３に固定することができる。
【００３１】
一方、標準パネルユニットＰＵ１を長手方向に向けて上記とは反対側に押して係合部材１０を図５（ｂ）に示す係合位置から図５（ａ）に示す非係合位置にまで移動させることにより、爪部１０ｂと折返し部３ｃとの係合を解除させて係合部材１０つまり標準パネルユニットＰＵ１を固定下地３から取り外し可能な状態とすることができる。
【００３２】
図４に示すように、係合部材１０を係合位置に保持して標準パネルユニットＰＵ１が固定下地３から外れることを防止するために、固定下地３の内部には固定具２０が設けられている。
【００３３】
図６に示すように、固定具２０は、固定片２１と棒状ねじ部材２２とを有している。例えば合成樹脂製とされる固定片２１は、略小判形の板状に形成された本体部２１ａの両側部にそれぞれ下方に向けて突出する脚部２１ｂを一体に備えるとともに本体部２１ａの上面に上方に向けて段差状に突出する凸部２１ｃを一体に備えている。本実施の形態では、本体部２１ａと凸部２１ｃとで凸型の移動阻止部２３が構成される。
【００３４】
固定片２１の幅寸法Ｗは、固定下地３の一対の側部３ｂの内面の間隔と同等ないし僅かに小さくなっている。また、固定片２１の奥行き寸法Ｄは、固定下地３の隙間Ｓの開口幅よりも小さくなっている。
【００３５】
固定片２１の軸心には、この固定片２１を固定下地３の内部に配置したときに、当該固定下地３の底部３ａに垂直となる方向に固定片２１を貫通するねじ孔２１ｄが設けられている。
【００３６】
棒状ねじ部材２２は、外周面に雄ねじを備えた軸部２２ａと、軸部２２ａの下端に一体に形成された軸部２２ａよりも大径のヘッド部２２ｂとを有し、軸部２２ａにおいて固定片２１のねじ孔２１ｄに螺合している。軸部２２ａの先端面には、棒状ねじ部材２２を回転させるための工具が嵌め込まれる凹部２２ｃが形成されている。当該工具としては、例えば六角レンチを用いることができる。この場合、凹部２２ｃは六角形に形成される。なお、棒状ねじ部材２２を回転させるための工具としては、例えばプラスドライバーやマイナスドライバーなどの六角レンチ以外の他の工具を用いることができ、これに合わせて凹部２２ｃの形状も種々変更可能である。
【００３７】
固定片２１の凸部２１ｃの上面には、一対の回り止め部２１ｅが一体に設けられている。これらの回り止め部２１ｅは、それぞれ略正方形状に形成されており、棒状ねじ部材２２を挟んだ両側において凸部２１ｃの上面から上方に向けて突出している。これらの回り止め部２１ｅは、隣り合うデッキ材２の間に設けられる隙間に対応した厚みに形成されている。これらの回り止め部２１ｅを隣り合うデッキ材２の間に挟持させることにより、固定下地３の内部において固定片２１を当該固定下地３に対して回り止めすることができる。
【００３８】
図４に示すように、係合部材１０が係合位置となって標準パネルユニットＰＵ１が固定下地３に固定された状態となったときに、固定片２１の凸部２１ｃを係合部材１０の爪部１０ｂの後端に下方側から係合させることにより、固定片２１（移動阻止部２３）によって係合部材１０の係合位置から非係合位置への移動を阻止することができる。すなわち、爪部１０ｂの後端と、当該後端に対向する固定下地３の側部３ｂとの間に凸部２１ｃと本体部２１ａとから成る移動阻止部２３が下方側から差し込まれることにより、爪部１０ｂが凸部２１ｃと本体部２１ａとによって側部３ｂに支持されて係合部材１０が係合位置に保持されることになる。このように、固定具２０によって係合部材１０を係合位置に保持することにより、標準パネルユニットＰＵ１を固定下地３に固定された状態に保持することができる。
【００３９】
次に、固定具２０によって係合部材１０を係合位置に保持させる手順について説明する。なお、以下では、隣り合う２つの標準パネルユニットＰＵ１の係合部材１０を同時に係合位置に保持する場合を示す。
【００４０】
まず、図７（ａ）に示すように、１つ目の標準パネルユニットＰＵ１の係合部材１０を固定下地３に係合させた状態において、固定片２１を固定下地３の隙間Ｓの延在方向に沿った縦向きとして固定具２０を隙間Ｓから固定下地３の内部に挿入する。固定片２１の奥行き寸法Ｄは隙間Ｓの開口幅よりも小さくされているので、隙間Ｓを通して固定具２０を固定下地３の任意の位置から当該固定下地３の内部に容易に挿入することができる。
【００４１】
次に、図７（ｂ）に示すように、固定具２０を固定下地３の内部で９０度回転させて横向きの配置とする。このとき、固定片２１の本体部２１ａは小判形状に形成されているので、一対の側部３ｂの間隔と同等の幅寸法Ｗを有する固定片２１を固定下地３の内部で容易に回転させることができる。
【００４２】
次に、図７（ｃ）に示すように、横向きとされた固定具２０を固定下地３に沿って移動させ、回り止め部２１ｅを標準パネルユニットＰＵ１の側面に当接させる。これにより、固定片２１の一部が係合部材１０の下方に配置される。
【００４３】
次に、２つ目の標準パネルユニットＰＵ１を、その係合部材１０を固定下地３に係合させた状態において固定下地３に沿って他方の標準パネルユニットＰＵ１の側に向けて移動させ、図７（ｄ）に示すように、一対の標準パネルユニットＰＵ１の側面の間で回り止め部２１ｅを挟持した状態とする。回り止め部２１ｅが一対の標準パネルユニットＰＵ１の側面の間に挟持されることにより、固定具２０は固定下地３の内部で回り止めされた状態となる。なお、回り止め部２１ｅを挟み込むことにより、隣り合う標準パネルユニットＰＵ１の間隔は所定の間隔に設定されることになる。
【００４４】
次に、この状態において、図８（ａ）に示すように、隣り合う標準パネルユニットＰＵ１の間に露出する棒状ねじ部材２２の凹部２２ｃに工具（不図示）を嵌合させ、棒状ねじ部材２２を締め込み方向に回転させる。棒状ねじ部材２２が回転すると、回り止めされている固定片２１はねじの作用により底部３ａから離れる方向つまり上方に向けて移動し、図８（ｂ）に示すように、その凸部２１ｃが係合部材１０の爪部１０ｂの後端に下方側から係合する。これにより、上記のように、爪部１０ｂの後端と側部３ｂとの間に凸部２１ｃと本体部２１ａとから成る移動阻止部２３が下方側から差し込まれた状態となって、係合部材１０の係合位置から非係合位置へ向けた移動が阻止され、係合部材１０は固定具２０によって係合位置に保持される。これにより、係合部材１０の固定下地３からの外れが防止され、標準パネルユニットＰＵ１は固定下地３に確実に固定される。
【００４５】
このように、係合部材１０を固定下地３に係合させた状態で当該係合部材１０の下方に固定具２０を配置し、棒状ねじ部材２２を工具等によって回転させるだけの簡単な作業で、標準パネルユニットＰＵ１を確実に固定下地３に固定することができる。また、標準パネルユニットＰＵ１を固定下地３から取り外す際には、棒状ねじ部材２２を緩め方向に回転させることにより、固定具２０による係合部材１０の保持を解除することができるので、当該取り外しの作業も容易に行うことができる。したがって、このデッキ材固定構造によれば、固定下地３に対してデッキ材２つまり標準パネルユニットＰＵ１を容易に着脱することができる。
【００４６】
上記のように、デッキ１の一部は着脱パネルユニットＰＵ２により構成されている。図９に示すように、着脱パネルユニットＰＵ２は、基本的に標準パネルユニットＰＵ１と同様の構成を有しており、２枚のデッキ材２を係合部材１０によって互いに連結した構成となっている。
【００４７】
なお、着脱パネルユニットＰＵ２の大きさは、メンテナンス等が必要な面積等に応じて任意に設定することができる。また、着脱パネルユニットＰＵ２を構成するデッキ材２の枚数及び係合部材１０の本数等も任意に設定可能である。
【００４８】
着脱パネルユニットＰＵ２は、標準パネルユニットＰＵ１と同様、係合部材１０を固定下地３に係合させて当該固定下地３に着脱自在に固定されるが、着脱パネルユニットＰＵ２は、その着脱作業をより容易にするために、固定具３０によって係合部材１０を係合位置に保持させる構成となっている。この固定具３０は、着脱パネルユニットＰＵ２を構成する一対のデッキ材２の間に設けられている。
【００４９】
図１０に示すように、固定具３０は、板状部３０ａを有している。板状部は、例えば鋼板等により形成されており、その一端側において一方のデッキ材２の側面に当該側面に垂直に配置された支軸３１によって回動自在に支持されている。支軸３１は、デッキ材２にねじ込み等によって固定されるボルトで構成することができる。図１１に示すように、支軸３１は、ヘッド部３１ａが一対のデッキ材２の間に配置されることにより、デッキ材２からの離脱が確実に防止される。
【００５０】
図１０に示すように、板状部３０ａには爪状の移動阻止部３０ｂが一体に設けられている。この移動阻止部３０ｂは、板状部３０ａが一対のデッキ材２の間に配置された状態において係合部材１０の固定部１０ａに隣接した部分において下向きに突出するように、当該板状部３０ａの一方の側辺の先端側部分に設けられている。
【００５１】
図９、図１１に示すように、板状部３０ａには摘み部３０ｃが一体に設けられている。摘み部３０ｃは、板状部３０ａの移動阻止部３０ｂが設けられるのと反対側の側辺に当該板状部３０ａに対して直角に曲げて形成されており、板状部３０ａが一対のデッキ材２の間に配置された状態において、デッキ材２の上面に設けられた凹み部３２に配置されるようになっている。つまり、板状部３０ａが一対のデッキ材２の間に配置された状態においては、摘み部３０ｃは凹み部３２に配置され、固定具３０は着脱パネルユニットＰＵ２の上面から突出することがない。これにより、デッキ１を歩行する住人等が固定具３０に引っ掛かることが防止される。
【００５２】
さらに、図１０に示すように、板状部３０ａには取っ手用孔３０ｄが設けられている。取っ手用孔３０ｄが設けられることにより、着脱パネルユニットＰＵ２を固定下地３から取り外した後、当該着脱パネルユニットＰＵ２を持ち運ぶ際に、当該取っ手用孔３０ｄに指を引っ掛けて固定具３０を取っ手として用いることができる。
【００５３】
係合部材１０が係合位置となって着脱パネルユニットＰＵ２が固定下地３に固定された状態となったときに、板状部３０ａを回動させて固定具３０の移動阻止部３０ｂを係合部材１０の爪部１０ｂの後端と当該後端に対向する折返し部３ｃとの間に上方側から差し込むことができる。これにより、係合部材１０の係合位置から非係合位置への移動を移動阻止部３０ｂによって阻止することができる。
【００５４】
固定具３０によって係合部材１０を係合位置に保持させる手順についてより具体的に説明すると、まず、図１２（ａ）に示すように、板状部３０ａを着脱パネルユニットＰＵ２の上方側に引き上げた状態とする。このとき、板状部３０ａに一体に設けられた摘み部３０ｃがデッキ材２の上面に当たることにより、板状部３０ａはデッキ材２の上面から突出する手で操作し易い位置に保持されることになる。次に、係合部材１０の爪部１０ｂを固定下地３の折返し部３ｃにスライド式に係合させ、爪部１０ｂが折返し部３ｃに係合した状態つまり係合部材１０が係合位置となった状態において、図１２（ｂ）に示すように、板状部３０ａを回動させる。これにより、爪部１０ｂの後端と折返し部３ｃとの間に移動阻止部３０ｂが上方側から差し込まれ、係合部材１０の係合位置から非係合位置への移動が移動阻止部３０ｂによって阻止される。したがって、係合部材１０が固定具３０によって係合位置に保持され、着脱パネルユニットＰＵ２は固定下地３に固定された状態に確実に保持される。
【００５５】
このように、係合部材１０を固定下地３に係合させた状態で、板状部３０ａを回動させるだけの簡単な作業で、着脱パネルユニットＰＵ２を確実に固定下地３に固定することができる。また、着脱パネルユニットＰＵ２を固定下地３から取り外す際には、摘み部３０ｃを掴んで板状部３０ａを上方に引き上げることにより、固定具３０による係合部材１０の保持を解除することができるので、当該取り外しの作業も容易に行うことができる。したがって、このデッキ材固定構造によれば、固定下地３に対してデッキ材２つまり着脱パネルユニットＰＵ２をより容易に着脱することができる。
【００５６】
図１３に変形例として示すように、固定具３０は、板状部３０ａに摘み部３０ｃを設けない構成とすることができる。この場合、デッキ材２の側面にストッパ３３を設け、板状部３０ａを着脱パネルユニットＰＵ２の上方側に引き上げたときに、板状部３０ａがストッパ３３に当接する構成とすることにより、当該板状部３０ａをデッキ材２の上面から突出する手で操作し易い位置に保持することができる。図１３に示す場合では、取っ手用孔３０ｄは、板状部３０ａの一辺に開放され、その開口端の一部が鉤状部３０ｅに形成されている。このような構成とすることにより、摘み部３０ｃに替えて鉤状部３０ｅに指を掛けることで、板状部３０ａを容易に引き上げることが可能となる。
【００５７】
図１に示すように、標準パネルユニットＰＵ１と着脱パネルユニットＰＵ２とが隣接して配置される部分には、標準パネルユニットＰＵ１に設けられる係合部材１０に対してはその移動を阻止し、着脱パネルユニットＰＵ２に設けられる係合部材１０に対してはその移動を許容する構成の固定具４０が用いられる。
【００５８】
図１４に示すように、固定具４０は、基本的には図６に示す固定具２０と同一の構成を有するが、凸部２１ｃが本体部２１ａのねじ孔２１ｄに対して奥行き方向の一方側にのみ設けられる点で固定具２０と相違している。
【００５９】
このような構成の固定具４０を用いることにより、図１５（ａ）、（ｂ）に示すように、標準パネルユニットＰＵ１に設けられる係合部材１０の爪部１０ｂの後端に凸部２１ｃを係合させて標準パネルユニットＰＵ１を固定状態に保持しつつ、着脱パネルユニットＰＵ２に設けられる係合部材１０の爪部１０ｂの後端には凸部２１ｃを係合させずに着脱可能な状態とすることができる。これにより、着脱パネルユニットＰＵ２を、固定具３０のみによって固定下地３に対する着脱を切り替え可能な構成とすることができる。
【００６０】
デッキ１の端に標準パネルユニットＰＵ１が配置される場合には、当該標準パネルユニットＰＵ１の係合部材１０に対して、図１６に示すような固定金物５０を係合させて当該係合部材１０の係合位置から非係合位置への移動を阻止する構成とすることができる。図１７に示すように、この固定金物５０は、固定下地３の端部から差し込まれ、その本体部５０ａが固定下地３の一対の側部３ｂの間に挟持されるとともに板状の係止部５０ｂが爪部１０ｂの後端に係合することによって、係合部材１０の係合位置から非係合位置への移動を阻止することができる。なお、デッキ１の端に設けられる標準パネルユニットＰＵ１の係合部材１０を係合位置から非係合位置へ移動することを阻止する構成としては、上記の固定金物５０を用いた構成に限らず、種々の構成を採用することができる。
【００６１】
図１８は図６に示す固定具の変形例であって、（ａ）はその断面図であり、（ｂ）はその平面図である。図６に示す固定具２０は、その固定片２１が合成樹脂製とされているが、図１８に示すように、固定片２１を金属製とした構成とすることもできる。
【００６２】
この変形例においては、固定片２１は、爪部１０ｂの後端と側部３ｂとの間隔と同等の幅を有する板状に形成され、当該固定片２１の全体が爪部１０ｂの後端と側部３ｂとの間に差し込まれる移動阻止部に構成されている。
【００６３】
また、棒状ねじ部材２２のヘッド部２２ｂと固定片２１との間には断面略Ｓ字形状のバネ鋼６０が装着されている。このバネ鋼６０は、２つの支持片６０ａ、６０ｂを備え、これらの支持片６０ａ、６０ｂによって固定片２１を挟持している。バネ鋼６０は弾性変形した状態で挿入されて固定下地３の内部にその対角線に沿って配置され、その両端部が固定下地３の内面に弾性的に当接している。これにより、固定具２０つまり固定片２１が固定下地３の内部で当該固定下地３の長手方向に向けて容易にずれないようにされている。したがって、バネ鋼６０によって固定片２１を固定下地３の内部の所定位置に保持することができるので、標準パネルユニットＰＵ１を固定下地３に対して着脱する際に、固定具２０が位置ずれすることを防止して、当該着脱作業を容易に行うことができる。
【００６４】
本発明は前記実施の形態に限定されるものではなく、その要旨を逸脱しない範囲で種々変更可能であることはいうまでもない。
【００６５】
例えば、前記実施の形態においては、棒状ねじ部材２２の回転や支軸３１を中心とした板状部３０ａの回動によって係合部材１０と固定下地３との間に上方側または下方側から移動阻止部を差し込むようにしているが、移動阻止部を係合部材１０と固定下地３との間に上方側または下方側から差し込む構成は、種々変更可能である。
【００６６】
また、固定片２１の凸部２１ｃないし移動阻止部２３は、係合部材１０と固定下地３との間に上方側または下方側から差し込まれて係合部材１０の係合位置から非係合位置への移動を阻止することができるものであれば、その形状は種々変更可能である。
【００６７】
さらに、デッキ材２を固定下地３に係合させる係合部材１０の形状も種々変更可能である。
【００６８】
さらに、固定下地３の形状も、係合部材１０の形状に合わせて種々変更可能である。
【産業上の利用可能性】
【００６９】
本発明は、住宅等の建物の屋外やベランダ等にデッキを設置する際に利用することができる。
【符号の説明】
【００７０】
１    デッキ
２    デッキ材
２ａ  芯材
２ｂ  樹脂材
３    固定下地
３ａ  底部
３ｂ  側部
３ｃ  折返し部
１０    係合部材
１０ａ  固定部
１０ｂ  爪部
１０ｃ  連結部
１１    締結部材
１２    束
２０    固定具
２１    固定片
２１ａ  本体部
２１ｂ  脚部
２１ｃ  凸部
２１ｄ  ねじ孔
２１ｅ  回り止め部
２２    棒状ねじ部材
２２ａ  軸部
２２ｂ  ヘッド部
２２ｃ  凹部
２３    移動阻止部
３０    固定具
３０ａ  板状部
３０ｂ  移動阻止部
３０ｃ  摘み部
３０ｄ  取っ手用孔
３０ｅ  鉤状部
３１    支軸
３１ａ  ヘッド部
３２    凹み部
３３    ストッパ
４０    固定具
５０    固定金物
５０ａ  本体部
５０ｂ  係止部
６０    バネ鋼
６０ａ  支持片
６０ｂ  支持片
ＰＵ１  標準パネルユニット
ＰＵ２  着脱パネルユニット
Ｓ    隙間
【図１】
0006693729.tif 000002
【図２】
0006693729.tif 000003
【図３】
0006693729.tif 000004
【図４】
0006693729.tif 000005
【図５】
0006693729.tif 000006
【図６】
0006693729.tif 000007
【図７】
0006693729.tif 000008
【図８】
0006693729.tif 000009
【図９】
0006693729.tif 000010
【図１０】
0006693729.tif 000011
【図１１】
0006693729.tif 000012
【図１２】
0006693729.tif 000013
【図１３】
0006693729.tif 000014
【図１４】
0006693729.tif 000015
【図１５】
0006693729.tif 000016
【図１６】
0006693729.tif 000017
【図１７】
0006693729.tif 000018
【図１８】
0006693729.tif 000019